(57)【特許請求の範囲】
【請求項１】
所定の時間で繰り返し送信されるローカル放送を受信して記憶する受信方法であって、
前記ローカル放送の受信レベルを単位時間ごとに検出し、
該検出された単位時間ごとの受信レベルが、対応する前記記憶された前記ローカル放送の部分の受信レベルより改善されている場合には、当該記憶された前記ローカル放送の部分を前記受信レベルが改善された前記ローカル放送の部分に置き換え、
前記ローカル放送の所定個所には、１クールの放送時間およびデータＩＤが付加され、情報処理装置が前記ローカル放送を受信するとき、該付加された前記１クールの放送時間および前記データＩＤを参照して既に前記情報処理装置に保存されている放送データと同一かどうかをチェックし、未受信の放送データの場合には、そのデータの記録を行い、記録終了時に全てのフレームの受信レベルをデータのヘッダまたはフッタに書き込むことを特徴とする受信方法。
【請求項２】
請求項１に記載の受信方法において、
前記ローカル放送の受信レベルを検出する単位時間は、１つのフレームに対応する時間であり、
該検出されたフレームごとの受信レベルが、対応する前記記憶された前記ローカル放送のフレームの受信レベルより改善されている場合には、当該記憶された前記ローカル放送のフレームを前記受信レベルが改善された前記ローカル放送のフレームに置き換えることを特徴とする受信方法。
【請求項３】
請求項１に記載の受信方法において、
再度、前記ローカル放送の受信を開始する時、同一フレームが存在する場合には、該同一フレームに対する各受信レベルをチェックし、新たに受信した放送データのフレームの方が高い受信レベルならば、その受信レベルの高い新たなフレームに書き換えることを特徴とする受信方法。
【請求項４】
ローカル放送を受信するローカル放送受信手段と、
ローカル放送を認識するローカル放送認識手段と、
前記受信したローカル放送の受信レベルを単位時間ごとに検出する受信レベル検出手段と、
前記受信したローカル放送を前記検出された受信レベルと関連付けて記憶する記憶手段と、
前記検出された単位時間ごとの受信レベルが、前記記憶された前記ローカル放送の部分の受信レベルより改善されている場合には、当該記憶された前記ローカル放送の部分を前記受信レベルが改善された前記ローカル放送の部分に置き換える置き換え制御手段と、を備える情報処理装置であって、
前記ローカル放送の所定個所には、１クールの放送時間およびデータＩＤが付加され、
前記置き換え制御手段は、前記情報処理装置が前記ローカル放送を受信するとき、該ローカル放送に付加された前記１クールの放送時間および前記データＩＤを参照して既に前記情報処理装置に保存されている放送データと同一かどうかをチェックし、未受信の放送データの場合には、そのデータの記録を行い、記録終了時に全てのフレームの受信レベルをデータのヘッダまたはフッタに書き込むように制御することを特徴とする情報処理装置。
【請求項５】
所定の時間で繰り返し送信されるローカル放送を受信して記憶する受信プログラムであって、処理装置に、
前記ローカル放送の受信レベルを単位時間ごとに検出させる手順と、
該検出された単位時間ごとの受信レベルが、対応する前記記憶された前記ローカル放送の部分の受信レベルより改善されている場合には、当該記憶された前記ローカル放送の部分を前記受信レベルが改善された前記ローカル放送の部分に置き換えさせる手順と、
前記ローカル放送の所定個所には、１クールの放送時間およびデータＩＤが付加され、情報処理装置が前記ローカル放送を受信するとき、該付加された前記１クールの放送時間および前記データＩＤを参照して既に前記情報処理装置に保存されている放送データと同一かどうかをチェックし、未受信の放送データの場合には、そのデータの記録を行わせ、記録終了時に全てのフレームの受信レベルをデータのヘッダまたはフッタに書き込ませる手順と、
を実行させることを特徴とする情報処理装置の放送受信プログラム。
【発明の詳細な説明】
【技術分野】
【０００１】
この出願は、情報処理装置、受信方法、および、情報処理装置の放送受信プログラムに関する。
【背景技術】
【０００２】
近年、放送受信機能を有する携帯端末装置（情報処理装置）として、テレビ放送受信機能付携帯電話装置（ＴＶ付携帯電話）が広く提供されている。さらに、テレビ放送の受信機能を有する携帯端末装置としては、携帯電話だけでなく、例えば、ＰＤＡ（Personal Digital Assistance）やノート型パーソナルコンピュータ（ノートパソコン）、或いは、携帯型ゲーム器等といった様々なものがある。
【０００３】
また、近年、微弱電波を利用した免許不要のローカル放送システム（ローカルエリア個別放送システム）が提案されており、例えば、ワンセグ受信機能を有する携帯電話を利用して販売する商品の情報や特典、或いは、展示する作品の説明等のスポットエリアに独自のコンテンツをワンセグ映像で配信するシステムが実用化されつつある。
【０００４】
このローカル放送システムにより配信されるワンセグ映像は、例えば、所定の時間（ワンクール：例えば、数十秒〜数十分程度）で同一内容が繰り返し送信されている。
【０００５】
ところで、従来、広域放送とローカル放送との切り換えを容易に行うことのできる情報処理装置として、ローカル放送認識手段および受信設定手段を備え、受信設定手段がローカル放送認識手段の無線インターフェースを介して与えられるローカル放送のチャンネルを受信可能に設定するものが提案されている（例えば、特許文献１参照）。
【０００６】
また、従来、記録してあるデジタル放送信号に含まれる古くなったコンテンツ等を視聴するときに、コンテンツ提供側の意図した情報および視聴者により有益な情報を得るために、送信機器側が放送するそれぞれのコンテンツに有効期限を設けて送信し、受信機器側が再生時にコンテンツの有効期限が切れていた場合にはその時点での放送に含まれるコンテンツもしくは予め記録しておいた新しいコンテンツと差し替えて出力するものも提案されている（例えば、特許文献２参照）。
【０００７】
さらに、従来、一方の解像度の放送を受信して記録し、この記録した信号を他方の解像度の記録信号に容易に交換できるシステムとして、解像度の異なるテレビ信号からなる複数のコンテンツを送信する番組サーバから、利用者の操作に基づいて他方の解像度のコンテンツを受信し、受信が完了したときメモリに格納した一方の解像度のコンテンツを消去するものも提案されている（例えば、特許文献３参照）。
【０００８】
【特許文献１】特開２００６−１９６９９３号公報
【特許文献２】特開２００４−３２８４１４号公報
【特許文献３】特開２００６−０５４５７０号公報
【発明の開示】
【発明が解決しようとする課題】
【０００９】
上述したように、例えば、微弱電波を利用した免許不要のローカル放送システムが実用化されつつある。このようなローカル放送を受信する受信機（例えば、携帯電話）は、通常、携帯しているユーザに伴って移動するため、そのローカル放送を受信する電波強度も様々に変化する。
【００１０】
すなわち、免許不要のローカル放送システムは、送信機からの電波が微弱であり、また、デザイン的に大きなアンテナを装着できずに受信機の受信感度が悪い等に起因して、受信機側で安定した受信を保証することが困難である。
【００１１】
具体的に、例えば、携帯電話でローカル放送を受信する場合、そのローカル放送の電波強度が弱いと受信できないことがあり、また、所定の時間で繰り返し送信されるローカル放送をその送信されるたびに毎回受信していると、携帯電話でのダウンロードに時間がかかるだけでなく、消費電力も増大することになる。
【００１２】
この出願は、上述した課題に鑑み、放送を高画質で再生することが可能な情報処理装置の提供を目的とする。
【課題を解決するための手段】
【００１３】
第１実施形態によれば、所定の時間で繰り返し送信されるローカル放送を受信して記憶する受信方法であって、前記ローカル放送の受信レベルを単位時間ごとに検出し、該検出された単位時間ごとの受信レベルが、対応する前記記憶された前記ローカル放送の部分の受信レベルより改善されている場合には、当該記憶された前記ローカル放送の部分を前記受信レベルが改善された前記ローカル放送の部分に置き換え、前記ローカル放送の所定個所には、１クールの放送時間およびデータＩＤが付加され、情報処理装置が前記ローカル放送を受信するとき、該付加された前記１クールの放送時間および前記データＩＤを参照して既に前記情報処理装置に保存されている放送データと同一かどうかをチェックし、未受信の放送データの場合には、そのデータの記録を行い、記録終了時に全てのフレームの受信レベルをデータのヘッダまたはフッタに書き込むことを特徴とする受信方法が提供される。
【００１４】
第２実施形態によれば、ローカル放送を受信するローカル放送受信手段と、ローカル放送を認識するローカル放送認識手段と、前記受信したローカル放送の受信レベルを単位時間ごとに検出する受信レベル検出手段と、前記受信したローカル放送を前記検出された受信レベルと関連付けて記憶する記憶手段と、前記検出された単位時間ごとの受信レベルが、前記記憶された前記ローカル放送の部分の受信レベルより改善されている場合には、当該記憶された前記ローカル放送の部分を前記受信レベルが改善された前記ローカル放送の部分に置き換える置き換え制御手段と、を備える情報処理装置であって、前記ローカル放送の所定個所には、１クールの放送時間およびデータＩＤが付加され、前記置き換え制御手段は、前記情報処理装置が前記ローカル放送を受信するとき、該ローカル放送に付加された前記１クールの放送時間および前記データＩＤを参照して既に前記情報処理装置に保存されている放送データと同一かどうかをチェックし、未受信の放送データの場合には、そのデータの記録を行い、記録終了時に全てのフレームの受信レベルをデータのヘッダまたはフッタに書き込むように制御することを特徴とする情報処理装置が提供される。
【００１５】
第３実施形態によれば、所定の時間で繰り返し送信されるローカル放送を受信して記憶する受信プログラムであって、処理装置に、前記ローカル放送の受信レベルを単位時間ごとに検出させる手順と、該検出された単位時間ごとの受信レベルが、対応する前記記憶された前記ローカル放送の部分の受信レベルより改善されている場合には、当該記憶された前記ローカル放送の部分を前記受信レベルが改善された前記ローカル放送の部分に置き換えさせる手順と、前記ローカル放送の所定個所には、１クールの放送時間およびデータＩＤが付加され、情報処理装置が前記ローカル放送を受信するとき、該付加された前記１クールの放送時間および前記データＩＤを参照して既に前記情報処理装置に保存されている放送データと同一かどうかをチェックし、未受信の放送データの場合には、そのデータの記録を行わせ、記録終了時に全てのフレームの受信レベルをデータのヘッダまたはフッタに書き込ませる手順と、を実行させることを特徴とする情報処理装置の放送受信プログラムが提供される。
【発明の効果】
【００１６】
各実施例によれば、放送を高画質で再生することが可能な情報処理装置を提供することができる。
【発明を実施するための最良の形態】
【００１７】
以下、情報処理装置の実施例を、添付図面を参照して詳述する。
なお、本明細書では、情報処理装置としてテレビ放送受信機能付携帯電話装置（ＴＶ付携帯電話）を例として説明するが、情報処理装置には、テレビ放送の受信機能を有するＰＤＡやノートパソコン、或いは、携帯型ゲーム器等といった様々なものが含まれるのはいうまでもない。
【実施例】
【００１８】
図１は本実施例が適用される情報処理装置の一例の全体構成を概略的に示すブロック図であり、ＴＶ付携帯電話を示すものである。
【００１９】
図１に示されるように、ＴＶ付携帯電話１００は、例えば、放送受信部１０１、通信用ＲＦ部１０２、ＣＰＵ／ＤＳＰ１０３、ＧＰＳ／ＷＬＡＮ／ＢＴ部１０４、メモリ他１０５、ディスプレー１０６、テンキー１０７、ＡＩＵ１０８、スピーカ１０９およびマイク１１０を備えている。
【００２０】
ＣＰＵ（Central Processing Unit）／ＤＳＰ（Digital Processing Unit）１０３は、ＴＶ付携帯電話１００における様々な制御および処理を行うものであり、リアルタイムクロック（ＲＴＣ：Real-Time Clock）１３１が設けられ、例えば、ＴＶ付携帯電話１００の電源が切られていても現在時刻を刻み続けるようになっている。
【００２１】
放送受信部１０１は、テレビ放送（および、ラジオ放送）を受信するためのものであり、また、通信用ＲＦ部１０２は、基地局（図示しない）との間で携帯電話本来の音声やデータの通信を行うためのものである。さらに、オーディオ・インターフェース・ユニット（ＡＩＵ：Audio Interface Unit）１０８は、スピーカ１０９およびマイク１１０のオーディオ信号とＣＰＵ／ＤＳＰ１０３とのインターフェースを取るためのものである。
【００２２】
ＧＰＳ／ＷＬＡＮ／ＢＴ部１０４は、ＧＰＳ（グローバル・ポジショニング・システム）の機能／無線ＬＡＮの機能／ブルートゥース（bluetooth：登録商標）の機能を実現するためのものであり、また、メモリ他１０５は、例えば、ユーザのデータを管理するエリア、位置情報や時刻、或いは、各種データ（例えば、放送データ）の識別子や放送のチャンネル等を格納するためのものである。
【００２３】
なお、図１に示すＴＶ付携帯電話は単なる一例であり、本実施例は、例えば、テレビ受信カードまたはテレビ受信モジュール並びに赤外線インターフェースまたは無線ＬＡＮを備えたＰＤＡやノートパソコン等の様々な情報処理装置に適用することができるのはいうまでもない。
【００２４】
本実施例では、所定の時間で繰り返し送信される同一内容のローカル放送からの放送（コンテンツ）を携帯電話１００で受信する場合、一度受信したデータの品質が良好ではないフレームを次回の放送による良好な品質の（受信レベルの高い）データにフレーム単位で書き換え、すなわち、品質の悪い部分（フレーム）だけを品質の良いフレームに差し替えることによりローカル放送の品質を確保するようになっている。
【００２５】
次の表１は、本実施例のローカル放送受信処理を概略的に説明するためのものである。ここで、表１において、初回の放送受信時は、受信感度が低い状態で受信した受信レベル「１」、受信感度が中程度の状態で受信した受信レベル「２」、並びに、受信感度が高い状態で受信した受信レベル「３」の全てのフレームが存在し、２回目の放送受信時は、同じコンテンツの放送データを受信感度が中程度の受信レベル「２」で受信し、そして、３回目の放送受信時は、受信感度が高い受信レベル「３」で受信している。
【００２６】
【表１】
0004855380.tif 000002
【００２７】
表１に示されるように、初回の放送受信時は、受信レベル（感度）「１」〜「３」に関わらず、全てのフレーム（放送データ）をメモリ（１０５）に保存する。２回目の放送受信時には、受信感度が低い状態で受信した受信レベル「１」のフレームだけ、受信感度が中程度の受信レベル「２」のフレームに書き換え、さらに、３回目の放送受信時には、受信感度が低い状態で受信した受信レベル「１」および受信感度が中程度の受信レベル「２」のフレームを、受信感度が高い受信レベル「３」のフレームに書き換える。
【００２８】
次の表２は、携帯電話１００によりローカル放送を受信する場合に作成されるフレームと受信レベルとの対応表を示している。
【００２９】
【表２】
0004855380.tif 000003
【００３０】
表２に示されるように、本実施例でが、各フレームＡ，Ｂ，Ｃ，…に対してそれぞれ受信レベル「１」〜「３」のいずれかを対応させてメモリ（１０５）に格納し、その格納された受信レベルと新たに放送されたフレーム（データ）の受信レベルとを比較して上述したローカル放送受信処理を行うようになっている。
【００３１】
なお、受信レベルは、「１」〜「３」の３段階に限定されるものではなく、また、個々のフレームに対してではなく、所定の時間ごと或いは複数のフレームごとに受信レベルを付すようにしてもよい。
【００３２】
さらに、図６を参照して後に説明するように、新たな放送データは、一旦、メモリに格納した後、既にメモリに格納された以前の放送データにおける同じフレームに付された受信レベルを比較しているが、新たな放送データのフレームの受信レベルをそのまま既にメモリに格納された以前の放送データにおける同じフレームに付された受信レベルと比較して書き換えの要否をリアルタイムに行うことも可能である。
【００３３】
また、ローカル放送局は、例えば、ローカル放送のヘッダとして１クールの放送時間やデータのＩＤなどを付加して放送を行い、受信側の携帯電話１００では、放送データをメモリ１０５に格納するとき、ヘッダ情報をその放送データのプロパティ情報として常に保持するように構成する。
【００３４】
ローカル放送の受信開始時には、例えば、データのＩＤを参照して既に携帯電話に保存されている放送データと同一かどうかをチェックし、未受信の放送データの場合には、そのデータの記録を行い、記録終了時に全てのフレームの受信レベルをデータのヘッダまたはフッタに書き込む。
【００３５】
そして、再度ローカル放送の受信を開始する時、同一フレームが存在する場合には、同一フレームに対する各受信レベルをチェックし、新たに受信した放送データのフレームの方が高い受信レベルならば、その受信レベルの高い新たなフレームに書き換える。これにより、所定の時間で繰り返し送信される同一内容のローカル放送は、その放送が受信されるたびに受信レベルが高いフレームにアップデートされるため、品質の高い放送データを保持することが可能になる。
【００３６】
図２は図１に示す情報処理装置による放送の受信を説明するための図である。図２において、参照符号１００はＴＶ付携帯電話、２００は広域放送を行うテレビ放送局、そして、３０１ａおよび３０１ｂはローカル放送を行うローカル放送局を示している。
【００３７】
図２に示されるように、ＴＶ付携帯電話１００は、テレビ放送局２００からの広域放送を受信すると共に、ローカル放送局３０１ａ，３０１ｂからのローカル放送を受信することができるようになっている。
【００３８】
なお、ＴＶ付携帯電話１００には、ローカル放送確認手段が設けられており、例えば、その携帯電話１００のＧＰＳ機能（ＧＰＳ／ＷＬＡＮ／ＢＴ部１０４）を利用し、または、電話のサービスを提供する近くの基地局の位置から携帯電話１００を所持するユーザの現在地を検出し、その検出された位置情報に対応するローカル放送のチャンネルを受信可能に設定するようになっている。
【００３９】
或いは、その携帯電話１００に設けられた無線ＬＡＮや／ブルートゥース（bluetooth：登録商標）の機能（ＧＰＳ／ＷＬＡＮ／ＢＴ部１０４）、若しくは、赤外線インターフェース（図示しない）等を利用してローカル放送のチャンネルを受信可能に設定する。また、ユーザがローカル放送を試聴する場合は、ＴＶ付携帯電話１００の所定のボタンを操作し、或いは、タッチセンサー機能を有するディスプレー１０６の所定の位置に触れることにより行う。
【００４０】
図３はローカルエリア個別放送システム（ローカル放送システム）を概略的に示す図である。図３において、参照符号１００はＴＶ付携帯電話、３０１はローカル放送を行うローカル放送局、３０２はローカル放送局情報サーバ、そして、３０３は放送データサーバを示している。
【００４１】
図３に示されるように、ローカル放送システム３００は、放送データサーバ３００から所定の放送データをダウンロードして保持するローカル放送局情報サーバ３０２と、ローカル放送局情報サーバ３０２からの放送データを所定の時間で繰り返し送信するローカル放送局３０１を備えている。なお、ローカル放送局３０１により放送される内容（放送データ：コンテンツ）は、所定の時間（ワンクール：例えば、数十秒〜数十分程度）で同一内容が繰り返し送信されるようになっている。
【００４２】
図４はローカル放送局の構成を示すブロック図である。
図４に示されるように、ローカル放送局３０１は、例えば、ＣＰＵ／ＤＳＰ３１１、ＲＴＣ３１２、放送受信装置３１３、放送送信装置３１４、ＲＯＭ（Read Only Memory）３１５、ＲＡＭ（Random Access Memory）３１６、不揮発性ＲＡＭ３１７および外部インターフェース３１８を備えている。
【００４３】
ＣＰＵ（Central Processing Unit）／ＤＳＰ（Digital Processing Unit）３１１は、ローカル放送局３０１における様々な制御および処理を行うものであり、ＲＴＣ３１２は、リアルタイムクロックである。
【００４４】
放送受信装置３１３は、ローカル放送局３０１から送信される放送をそのローカル放送局でモニタするためのものであり、放送送信装置３１４は、予め定められたコンテンツ（番組）を所定の時間で繰り返し送信するためのものである。
【００４５】
放送受信装置３１３は、ローカル放送局３０１から送信される放送をそのローカル放送局でモニタするためのものであり、放送送信装置３１４は、予め定められたコンテンツ（番組）を所定の時間で繰り返し送信するためのものであり、そして、外部インターフェース３１８は、例えば、ローカル放送局情報サーバ３０２からの放送データを受け取るために使用される。
【００４６】
なお、図４に示すローカル放送局は単なる一例であり、他に様々な構成を備えることもできる。
【００４７】
図５は情報処理装置における放送受信回路の一例を概略的に示すブロック図である。なお、図５に示す放送受信回路は、例えば、携帯電話にチューナーモジュールとして組み込むことによりテレビ放送の視聴を可能にするものである。
【００４８】
図５に示されるように、放送受信回路１（放送受信部１０１）は、アンテナ１４に接続されＲＦアンプ（高周波増幅器：ヘッドアンプ）１０ａを有するＲＦ受信回路１０、並びに、ＲＦ受信回路１０の出力を復調してビデオ信号Ｖｉｄｅｏおよびオーディオ信号Ａｕｄｉｏを出力する復調回路１１を備える。
【００４９】
ＲＦアンプ１０ａは、テレビ放送、すなわち、広域テレビ放送およびローカルテレビ放送の両方の高周波信号を増幅するもので、復調回路１１からフィードバックされる、例えば、０〜３Ｖの自動ゲイン制御用の制御電圧ＣＶによりゲインが調整される。なお、図５の構成は単なる一例であり、ＲＦアンプ１０ａのゲイン制御も様々な構成により行われるのはいうまでもない。
【００５０】
図６は本実施例の情報処理装置によるローカル放送の受信処理の一例を説明するためのフローチャートである。
【００５１】
図６に示されるように、ローカル放送の受信処理は、まず、ステップＳＴ１において、放送（ローカル放送）を開始して、ステップＳＴ２に進み、ヘッダ情報を受信し、そのデータ放送のデータＩＤおよびそのコンテンツの１クール放送時間などを認識する。さらに、ステップＳＴ３に進んで、受信したデータ放送が受信側（携帯電話１００）で既に保存されている放送データかどうかを判別する。
【００５２】
ステップＳＴ３において、受信したデータ放送が受信側で既に保存されている放送データではないと判別されると、ステップＳＴ４に進んで、ヘッダ情報を受信側にプロパティ情報として格納し、さらに、ステップＳＴ５に進む。
【００５３】
ステップＳＴ５では、放送されるデータを受信側に格納（ヘッダ情報に書かれているコンテンツ１クール放送時間）し、ステップＳＴ６に進んで、データ放送の１クールを終了する。すなわち、携帯電話１００で最初に受信する１クールのローカル放送は、全て携帯電話のメモリ（１０５）に格納される。
【００５４】
次に、ステップＳＴ７において、格納したデータの受信レベルをフレームごとに格納して、ステップＳＴ１に戻る。ここで、受信レベルの格納は、フレームごとではなく、所定の時間ごと（例えば、１秒ごと）に受信したデータに関連付けて格納してもよい。
【００５５】
一方、ステップＳＴ３において、受信したデータ放送が受信側で既に保存されている放送データであると判別されると、ステップＳＴ８に進んで、格納済データの受信レベルをチェックして、全てが最良の受信レベルで受信したデータかどうかを判別する。
【００５６】
ステップＳＴ８において、格納済データの全てが最良の受信レベルで受信したデータではないと判別されると、ステップＳＴ９に進んで、放送されるデータを受信側に格納する。このとき、格納済みデータの上書きは行わず、ヘッダ情報に書かれているコンテンツの１クール放送時間だけのデータを格納する。そして、ステップＳＴ１０に進んで、データ放送の１クールを終了する。
【００５７】
さらに、ステップＳＴ１１に進んで、前回格納済みデータの各フレームの受信レベルと、今回格納したデータの各フレーム受信レベルを比較し、今回格納したデータの受信レベルの方が高い場合には、前回格納済みデータの該当フレームと今回格納データの該当フレームを差し替える。
【００５８】
そして、ステップＳＴ１２に進んで、格納したデータの受信レベル（例えば、フレームごと）を格納し、さらに、ステップＳＴ１３に進んで、今回格納したデータの削除を行って、ステップＳＴ１に戻る。
【００５９】
すなわち、格納済みデータの受信レベルが全て最良レベルで受信したものではない場合には、放送されるデータを一時的にメモリに格納し、格納済みデータの受信レベルが一時的に記憶された今回受信して格納した新たなデータの受信レベルよりも低いフレームだけ新たなデータに置き換え、その後、一時的にメモリに格納したデータを削除する。
【００６０】
一方、ステップＳＴ８において、格納済みデータの受信レベルが全て最良レベルであると判別された場合には、保存されているデータをそのまま再生して処理を終了する。なお、ステップＳＴ８における判別で使用する最良レベルとしては、例えば、受信レベルの最大値ではなく、試聴するのに十分な受信レベルを最良レベルに設定してもよい。
【００６１】
このように、本実施例によれば、受信機（ＴＶ付携帯電話）に対して電波強度が弱い或いは不安定な場合でも、既に保存されたデータを利用して再生することにより、安定したコンテンツの視聴が可能となる。また、放送データは、フレームごとに置き換えるため、受信データの保存時間および置き換えを軽減することができ、さらに、メモリ（バッファ）領域を抑えることが可能になる。
【００６２】
また、受信後に保存したヘッダ情報の中に品質情報（受信レベル）を含ませることにより、ヘッダ情報によってダウンロードする時の受信レベルを確認することができ、放送データを更新するかどうか判断することが可能になる。さらに、受信機で電波強度レベルを測定して保存データのヘッダ部に受信レベル情報を付加することにより、品質情報として利用することができ、個々のフレームに対する品質を管理することが可能になる。
【００６３】
そして、電波レベル（ＲＦ前段レベル）の受信レベルによる比較を行うため、バックエンド部での処理時間の短縮を行うことも可能になる。
【００６４】
なお、以上の説明では、ローカル放送の受信レベルをフレームごとに検出し、その検出されたフレームの受信レベルが既にメモリに格納されているフレームの受信レベルよりも改善されていれば新たに受信したフレームに置き換えているが、これは１つのフレームごとではなく、単位時間（例えば、１秒程度）当たりのフレーム数ごとにその単位時間の受信レベルの平均が、対応する既にメモリに格納されている複数のフレームの受信レベルの平均よりも改善されている場合には、メモリに格納されている数のフレームを新たに受信した複数のフレームに置き換えるようにすることもできる。さらに、上記複数のフレームの置き換え処理は、単位時間の受信レベルの平均ではなく、受信レベルが最も低い状態同士を比較して行うようにしてもよい。
【００６５】
図７は本実施例が適用されるローカル放送受信プログラムを記録した媒体の例を説明するための図である。図７において、参照符号４１０は処理装置、４２０はプログラム（データ）提供者、そして、４３０は可搬型記録媒体を示している。なお、図７では、処理装置（コンピュータ）としてＴＶ付携帯電話を示しているが、本実施例の適用はＴＶ付携帯電話に限定されるものでないのは前述した通りである。
【００６６】
本実施例は、例えば、図７に示すような処理装置４１０に対するプログラム（データ）として与えられ、処理装置４１０により実行される。処理装置４１０は、プロセッサを含む演算処理装置本体４１１、および、演算処理装置本体４１１に対してプログラム（データ）を与え或いは処理された結果を格納する処理装置側メモリ（例えば、ＲＡＭ（Random Access Memory））４１２等を備える。処理装置４１０に提供されたプログラムは、ローディングされて処理装置４１０のメインメモリ上で実行される。
【００６７】
プログラム提供者４２０は、プログラムを格納する手段（回線先メモリ：例えば、ＤＡＳＤ（Direct Access Storage Device））４２１を有し、例えば、インターネット等の回線を介してプログラムを処理装置４１０に提供し、或いは、Mini−ＳＤやMicro−ＳＤといったメモリカードや様々なインターフェースまたはコンピュータ等を介した光ディスクまたは磁気ディスク等の様々な可搬型記録媒体４３０を介して処理装置４１０に提供する。本実施例が適用されるローカル放送受信プログラムを記録した媒体は、上記の処理装置側メモリ４１２、回線先メモリ４２１、および、可搬型記録媒体４３０等の様々なものを含むのはいうまでもない。
【００６８】
以上の実施例を含む実施形態に関し、さらに、以下の付記を開示する。
（付記１）
所定の時間で繰り返し送信される放送を受信して記憶する受信方法であって、
前記放送の受信レベルを単位時間ごとに検出し、
該検出された単位時間ごとの受信レベルが、対応する前記記憶された前記放送の部分の受信レベルより改善されている場合には、当該記憶された前記放送の部分を前記受信レベルが改善された前記放送の部分に置き換える受信方法。
【００６９】
（付記２）
付記１に記載の受信方法において、
前記放送の受信レベルを検出する単位時間は、１つのフレームに対応する時間であり、
該検出されたフレームごとの受信レベルが、対応する前記記憶された前記放送のフレームの受信レベルより改善されている場合には、当該記憶された前記放送のフレームを前記受信レベルが改善された前記放送のフレームに置き換える受信方法。
【００７０】
（付記３）
付記１に記載の受信方法において、
前記放送の受信レベルを検出する単位時間は、複数のフレームに対応する時間であり、
該検出された複数のフレームの受信レベルの平均が、対応する前記記憶された前記放送の複数のフレームの受信レベルの平均より改善されている場合には、当該記憶された前記放送の前記複数のフレームを前記受信レベルが改善された前記放送の前記複数のフレームに置き換える受信方法。
【００７１】
（付記４）
付記１〜３のいずれか１項に記載の受信方法において、
前記放送の所定個所には、１クールの放送時間およびデータＩＤが付加され、前記情報処理装置が前記放送を受信するとき、該付加された前記１クールの放送時間および前記データＩＤを参照する受信方法。
【００７２】
（付記５）
放送を受信する放送受信手段と、
放送を認識する放送認識手段と、
前記受信した放送の受信レベルを単位時間ごとに検出する受信レベル検出手段と、
前記受信した放送を前記検出された受信レベルと関連付けて記憶する記憶手段と、
前記検出された単位時間ごとの受信レベルが、前記記憶された前記放送の部分の受信レベルより改善されている場合には、当該記憶された前記放送の部分を前記受信レベルが改善された前記放送の部分に置き換える置き換え制御手段と、を備える情報処理装置。
【００７３】
（付記６）
付記５に記載の情報処理装置において、
前記放送の受信レベルを検出する単位時間は、１つのフレームに対応する時間であり、
前記受信レベル検出手段は、前記フレームごとに受信レベルを検出し、
前記置き換え制御手段は、前記記憶された前記放送のフレームを、前記受信レベルが改善された前記放送の部分に置き換える置き換え制御手段と、を備える情報処理装置。
【００７４】
（付記７）
付記５に記載の情報処理装置において、
前記放送の受信レベルを検出する単位時間は、複数のフレームに対応する時間であり、
前記受信レベル検出手段は、前記複数のフレームの受信レベルの平均を検出し、
前記置き換え制御手段は、前記記憶された前記放送の前記複数のフレームを前記受信レベルが改善された前記放送の前記複数のフレームに置き換える情報処理装置。
【００７５】
（付記８）
付記５〜７のいずれか１項に記載の情報処理装置において、さらに、
前記放送の所定個所に付加された１クールの放送時間およびデータＩＤを参照する参照手段を備え、該参照手段は、前記情報処理装置が前記放送を受信するとき、該付加された前記１クールの放送時間および前記データＩＤを参照する情報処理装置。
【００７６】
（付記９）
付記５〜８のいずれか１項に記載の情報処理装置と、該情報処理装置に対して、前記放送を送信する放送局を備えることを特徴とする放送システム。
【００７７】
（付記１０）
所定の時間で繰り返し送信される放送を受信して記憶する受信プログラムであって、処理装置に、
前記放送の受信レベルを単位時間ごとに検出させる手順と、
該検出された単位時間ごとの受信レベルが、対応する前記記憶された前記放送の部分の受信レベルより改善されている場合には、当該記憶された前記放送の部分を前記受信レベルが改善された前記放送の部分に置き換えさせる手順と、を実行させる情報処理装置の放送受信プログラム。
【００７８】
（付記１１）
付記１０に記載の情報処理装置の放送受信プログラムを記録した媒体。
【図面の簡単な説明】
【００７９】
【図１】本実施例が適用される情報処理装置の一例の全体構成を概略的に示すブロック図である。
【図２】図１に示す情報処理装置による放送の受信を説明するための図である。
【図３】ローカルエリア個別放送システムを概略的に示す図である。
【図４】ローカル放送局の構成を示すブロック図である。
【図５】情報処理装置における放送受信回路の一例を概略的に示すブロック図である。
【図６】本実施例の情報処理装置によるローカル放送の受信処理の一例を説明するためのフローチャートである。
【図７】本実施例が適用されるローカル放送受信プログラムを記録した媒体の例を説明するための図である。
【符号の説明】
【００８０】
１    放送受信回路（チューナーモジュール）
１０    ＲＦ受信回路
１０ａ    アンプ
１１    復調回路
１４    アンテナ
１００    テレビ受信機能付携帯端末装置（ＴＶ付携帯電話）
１０１    放送受信部（テレビ／ラジオ受信機能）
１０２    通信用ＲＦ部
１０３    ＣＰＵ／ＤＳＰ
１０４    ＧＰＳ／ＷＬＡＮ／ＢＴ部
１０５    メモリ他（メモリ領域（ユーザデータ管理エリア）位置情報，時刻，識別子，チャンネル等）
１０６    ディスプレー
１０７    テンキー
１０８    ＡＩＵ
１０９    スピーカ
１１０    マイク
２００    広域放送を行うテレビ放送局
３００    ローカルエリア個別放送システム（ローカル放送システム）
３０１    ローカル放送局
３０２    ローカル放送局情報サーバ
３０３    放送データサーバ
４１０    処理装置
４１１    演算処理装置本体
４１２    処理装置側メモリ
４２０    プログラム（データ）提供者
４２１    プログラムを格納する手段（回線先メモリ）
４３０    可搬型記録媒体
【図１】
0004855380.tif 000004
【図２】
0004855380.tif 000005
【図３】
0004855380.tif 000006
【図４】
0004855380.tif 000007
【図５】
0004855380.tif 000008
【図６】
0004855380.tif 000009
【図７】
0004855380.tif 000010